(57)【要約】【課題】フレーム付きの複数の太陽電池モジュールを積み重ねて安定的に輸送することに用いることができる梱包材を提供すること。【解決手段】太陽電池モジュールの梱包材２０は、矩形状の太陽電池パネル２の各辺に沿ってそれぞれ設けられたフレーム３を配置してなる太陽電池モジュール１の角部１ａに設けられる太陽電池モジュールの梱包材２０であって、太陽電池モジュール１の角部１ａに位置する２つの辺のフレーム３の外側部３ｂに沿う一対の側壁部２２と、該一対の側壁部２１間に亘って設けられた、太陽電池モジュール１の下部を支持する支持部２２と、該支持部２２から下方に向かって延びる第１突起部２３と、を備える。また、太陽電池モジュールの梱包材２０は、太陽電池モジュール１を上下方向に水平に複数積み重ねた際に、上側に位置する第１太陽電池モジュール１Ａを支持する支持部２２から下方に向かって延びる第１突起部２３は、下側に位置する第２太陽電池モジュール１Ｂのフレーム３の内側に位置する。【選択図】  図５
2015221671.tif 000002
【特許請求の範囲】
【請求項１】
矩形状の太陽電池パネルの各辺に沿ってそれぞれ設けられたフレームを配置してなる太陽電池モジュールの角部に設けられる太陽電池モジュールの梱包材であって、
前記太陽電池モジュールの角部に位置する２つの辺の前記フレームの外側部に沿う一対の側壁部と、
該一対の側壁部間に亘って設けられた、前記太陽電池モジュールの下部を支持する支持部と、
該支持部から下方に向かって延びる第１突起部と、を備え、
前記太陽電池モジュールを上下方向に水平に複数積み重ねた際に、上側に位置する第１太陽電池モジュールを支持する前記支持部から下方に向かって延びる前記第１突起部は、下側に位置する第２太陽電池モジュールの前記フレームの内側に位置する、太陽電池モジュールの梱包材。
【請求項２】
前記一対の側壁部のうち、少なくとも一方の前記側壁部から前記太陽電池モジュールの上方に向かって延びる、弾性を有する張出部と、該張出部から下方に向かって延びており、前記太陽電池モジュールの前記フレームの内側に位置する第２突起部をさらに備える、請求項１に記載の太陽電池モジュールの梱包材。
【請求項３】
前記張出部は、平面視したときに、前記支持部と重ならない位置に設けられている、請求項２に記載の太陽電池モジュールの梱包材。
【請求項４】
前記一対の側壁部は、前記第１突起部と協働して前記太陽電池モジュールの前記フレームを挟み込むように下方に延在している、請求項１乃至請求項３のいずれかに記載の太陽電池モジュールの梱包材。
【請求項５】
前記一対の側壁部の上面は、前記太陽電池モジュールの前記フレームの上部よりも下方側に位置している、請求項１乃至請求項４のいずれかに記載の太陽電池モジュールの梱包材。
【発明の詳細な説明】
【技術分野】
【０００１】
本発明は、フレーム付きの太陽電池モジュールを積み重ねて梱包するための太陽電池モジュールの梱包材に関する。
【背景技術】
【０００２】
近年の環境保護の機運の高まりに伴い、環境負荷の少ない太陽光発電システムが注目されている。太陽光発電システムとは、多数の太陽電池モジュールを架台に固定してなる太陽電池アレイにパワーコンディショナや接続箱などの機器を組み合わせたものである。このような太陽光発電システムに用いられる太陽電池モジュールは施工現場までダンボールで梱包されて輸送されている。そのため、太陽電池モジュールの開梱後に多数のダンボールがゴミとなり、紙資源の消費が多くなっていた。
【０００３】
そこで、太陽電池モジュールのそれぞれの角部を支持して積み重ねることができ、輸送の際に繰り返し利用することができる合成樹脂製の梱包材が提案されている。
【先行技術文献】
【特許文献】
【０００４】
【特許文献１】特開２００６−３２９７８号公報
【発明の概要】
【発明が解決しようとする課題】
【０００５】
上記特許文献１に開示された梱包材は、上下に重ねられた梱包材の間で、上側に位置する梱包材の荷重受け止め支持異形材の下部に設けられた複数のさねに、下側に位置する梱包材の荷重受け止め支持異形材の上部に設けられた複数のほぞが差し込まれることで固定される構造である。このような梱包材では、太陽電池モジュールを輸送する際に水平方向の振動が加わると、太陽電池モジュールが水平方向に移動して、さねを開く方向に強い荷重が加わり、梱包材が破損するおそれがある。特に、このような破損は、多くの太陽電池モジュールを積み重ねると上記荷重が大きくなるため、梱包材の破損が生じやすくなる。
【０００６】
本発明の１つの目的は、太陽電池モジュールを多数積み重ねても、水平方向に作用する荷重によって破損が生じにくい梱包材を提供することにある。
【課題を解決するための手段】
【０００７】
本発明の一形態に係る太陽電池モジュールの梱包材は、矩形状の太陽電池パネルの各辺に沿ってそれぞれ設けられたフレームを配置してなる太陽電池モジュールの角部に設けられる太陽電池モジュールの梱包材であって、前記太陽電池モジュールの角部に位置する２つの辺の前記フレームの外側部に沿う一対の側壁部と、該一対の側壁部間に亘って設けられた、前記太陽電池モジュールの下部を支持する支持部と、該支持部から下方に向かって延びる第１突起部と、を備えている。また、本実施形態において、前記太陽電池モジュールを上下方向に水平に複数積み重ねた際に、上側に位置する第１太陽電池モジュールを支持する前記支持部から下方に向かって延びる前記第１突起部は、下側に位置する第２太陽電池モジュールの角部に位置する隣り合う前記フレームの内側に位置する。
【発明の効果】
【０００８】
本実施形態に係る太陽電池モジュールの梱包材によれば、上下方向に隣接する梱包材同士が側壁部を介して上下方向の荷重を伝達するとともに、側壁部および第１突起部でもって太陽電池モジュールの水平方向の移動を規制することによって、梱包材に作用する荷重
に対する耐性（耐荷重性）を高めることができる。その結果、上下方向および水平方向に作用する荷重によって破損を生じにくい梱包材とすることができる。
【図面の簡単な説明】
【０００９】
【図１】図１は、本発明の一実施形態に係る太陽電池モジュールの梱包材を用いて、複数の太陽電池モジュールを梱包した様子を示す斜視図である。
【図２】図２は、本発明の一実施形態において梱包される太陽電池モジュールを示す図であり、（ａ）は非受光面側から見た様子を示す平面図、（ｂ）は（ａ）をＡ−Ａ’断面から見た断面図であり、（ｃ）はＢ部を斜めから見た様子を示す斜視図である。
【図３】図３は、本発明の一実施形態に係る太陽電池モジュールの梱包材の斜視図である。
【図４】図４は、本発明の一実施形態に係る太陽電池モジュールの梱包材を図３と異なる方向から示す斜視図である。
【図５】図５は、本発明の一実施形態に係る太陽電池モジュールの梱包材を用いて太陽電池モジュールを梱包した様子を示す図面であり、（ａ）は１枚太陽電池モジュールが梱包材に載置された様子を示し、（ｂ）は上下に隣接する梱包材で太陽電池モジュールを梱包した様子を示す斜視図である。なお図５（ａ）においては梱包材の位置を明確にするために太陽電池パネルを透明にしている、また図５（ｂ）においては梱包材の位置を明示するために上側に位置する太陽電池モジュールを透明とし、下側に位置する太陽電池モジュールの太陽電池パネルを透明としている。
【図６】図６は、本発明の実施形態に係る太陽電池モジュールの梱包材に太陽電池モジュールを載置した様子を示す斜視図である。
【図７】図７は、本発明の他の実施形態に係る太陽電池モジュールの梱包材を示す図面であり、（ａ）は斜視図を示し、（ｂ）は梱包材を太陽電池モジュールに装着した様子を示す斜視図である。
【図８】図８は、本発明の他の実施形態に係る太陽電池モジュールの梱包材に用いる蓋部材を示す斜視図である。
【発明を実施するための形態】
【００１０】
以下、本発明の一実施形態に係る太陽電池モジュールの梱包材について、図面を参照しつつ詳細に説明する。なお、同一名称の部材については同一符号を付すものとし、重複した説明を省略する。また、図面は模式的に示したものであるので、各図における構成要素のサイズおよび位置関係等は適宜変更し得る。
【００１１】
太陽電池モジュール１は、矩形状の太陽電池パネル２と、太陽電池パネル２の各辺に沿ってそれぞれ設けられたフレーム３を有する。そして、太陽電池モジュール１の梱包は、受光面１ｂが下側となるように裏返した各太陽電池モジュール１について、四隅の角部１ａに配置された梱包材２０を介して、複数の水平にした太陽電池モジュール１を積み重ねることで行われる。なお、パレット４０が、積み重ねられた太陽電池モジュール１の底側に配置される。
【００１２】
なお、以下の説明では、図１に示す太陽電池モジュール１の一辺に沿う方向をＸ方向と称し、太陽電池モジュールの前記一辺に直交する他辺に沿い水平面に対して平行な方向をＹ方向と称し、Ｘ方向とＹ方向に直交する方向をＺ方向と称する。また、Ｚ方向のうち、＋Ｚ方向側を上と呼び、−Ｚ方向側を下とする。そのため、このＺ方向は、上下方向とも言う。
【００１３】
また、上下に隣接する任意の２枚の太陽電池モジュール１のうち、上方に位置する太陽電池モジュール１を第１太陽電池モジュール１Ａ、下方に位置する太陽電池モジュール１を第２太陽電池モジュール１Ｂとする。また、上下に隣接する梱包材２０のうち、第１太
陽電池モジュール１Ａの角部に設けられた梱包材２０を第１梱包材２０Ａ、第２太陽電池モジュール１Ｂの角部に設けられた梱包材２０を第２梱包材２０Ｂとする。
【００１４】
まず、本発明の太陽電池モジュールの梱包材２０で梱包される太陽電池モジュール１の一例について説明する。
【００１５】
太陽電池モジュール１としては、例えば、スーパーストレート構造、ガラスパッケージ構造又はサブストレート構造などの種々のものが利用可能である。以下の説明では、特に生産量の多い単結晶シリコン太陽電池、および多結晶シリコン太陽電池に適用可能で使用材料の少ないスーパーストレート構造を例にとって説明する。また、太陽電池モジュール１の四隅の部位を角部１ａとする。また、太陽電池モジュール１の最初に太陽光が入射される面の側を受光面１ｂとし、受光面１ｂの裏側を裏面１ｃとする。また、裏面１ｃから受光面１ｂに向かう側に位置する部位を受光面側（＋Ｚ方向側）と称し、受光面１ｂから裏面１ｃに向かう側に位置する部位を裏面側（−Ｚ方向側）と称する。なお、太陽電池モジュール１の角部１ａの裏面側１ｃにおけるフレーム３の内側の側部を内側部１ｃ１とする。
【００１６】
図２に示すように、太陽電池モジュール１は、矩形状の太陽電池パネル２と、該太陽電池パネル２の各辺に沿ってそれぞれ設けられたフレーム３を有している。太陽電池パネル２は、モジュール基板を兼ねる透光性基板４と、透明な熱硬化性樹脂よりなる封止材５と、封止材５に周囲を保護されるとともに配線部材６でもって半田等で電気的に互いに接続された太陽電池素子７と、太陽電池素子７の裏面を保護する裏面部材８と、を積層し一体化してなる。また、太陽電池パネル２は、裏面部材８に発電を外部に出力する端子ボックス９を設けられている。
【００１７】
フレーム３は、太陽電池パネル２を収容する部分である嵌合部３ａを有し、受光面側１ｂから裏面側１ｃへ向かう方向へ沿って嵌合部３ａから延びるフレームの外側部３ｂを有する。また、フレーム３は、嵌合部３ａと対向する位置にフレームの底部３ｃを有する。なお、フレーム３の底部３ｃは、フレーム３の外側面３ｂの裏面側の端部から太陽電池モジュール１の内側の方向へ張設された部位であってもよい。このようなフレーム３は、太陽電池モジュール１を設置後に風圧や積雪に耐えるために高い強度を有する。
【００１８】
次に、本発明の実施形態に係る太陽電池モジュールの梱包材について説明する。
【００１９】
＜第１実施形態＞
本実施形態に係る梱包材２０は、太陽電池モジュール１の角部１ａに設けられる。梱包材２０は、側壁部２１、支持部２２および第１突起部２３を具備する。梱包材２０は、例えば、合成樹脂で一体的に成形される。梱包材２０の材料としては、加工が容易で硬度が低くフレーム３を傷つけにくいポリエチレンやポリプロピレン、エチレン、プロピレン、ポリ塩化ビニル、ＡＢＳ樹脂、フェノール樹脂等の合成樹脂を用いることができる。そして、合成樹脂を射出成型することによって梱包材２０を作製できる。
【００２０】
側壁部２１は、梱包材２０を積み重ねた時に、太陽電池モジュール１の荷重を伝達する役割を有し、上方から平面視すると略Ｌ字状の形状を有する。よって、梱包材２０は、２つの側壁部２１を有している。換言すれば、梱包材２０は、略Ｌ字状に配置された一対の側壁部２１を有している。側壁部２１は、一対の２つの面状の部位を備えており、２つの面状の部位が直交するように接合した形状を成している。そして、側壁部２１は、太陽電池モジュール１の角部１ａに位置する２つの辺に対応するフレーム３の外側部３ｂに沿う形状を有する。なお、梱包材２０を太陽電池モジュール１に取り付けた場合、側壁部２１は、外側部３ｂに接触していてもよい。側壁部２１が外側部３ｂに接触する梱包材２０で
あれば、太陽電池モジュール１に対して梱包材２０を容易に固定することができる。
【００２１】
側壁部２１は、図３に示すように、上部側に側壁部の上部２１ａ、下部側に側壁部の下部２１ｂを有する。この側壁部の上部２１ａおよび側壁部の下部２１ｂは、上下方向に沿って水平に積み重ねられる太陽電池モジュール１のフレーム３の下面と略平行になる面を有するように形成されている。これにより、側壁部２１は、第１梱包材２０Ａと第２梱包材２０Ｂとを積み重ねた時に、第１梱包材２０Ａの側壁部の上部２１ａと、第２梱包材２０Ｂの側壁部の下部２１ｂとが面で当接可能となるため、太陽電池モジュール１の積み重ねが容易になる。また、このような構成により、第１太陽電池モジュール１Ａの荷重を第１梱包材２０Ａを介して第２梱包材２０Ｂに伝達しやすい。なお、側壁部の上部２１ａおよび側壁部の下部２１ｂは、材料を節約する観点から荷重を支持し得る範囲で、図３に示すように複数の空孔を有していてもよい。
【００２２】
また、側壁部２１は、図３に示すように、側壁部の上部２１ａと支持部２２との間において、太陽電池モジュール１の外側面３ｂと相対する上部内面２１ｃを有する。また、側壁部２１は、側壁部の下部２１ｂと支持部２２との間において、下部内面２１ｄを有する。なお、側壁部の下部内面２１ｄは、側壁部の上部内面２１ｃから−Ｚ方向側に延長した面上に位置する。
【００２３】
支持部２２は、太陽電池モジュール１の下部を支持する役割を有する。また、支持部２２は、図４に示すように、側壁部２１の下方において、一対の側壁部２１間に亘って設けられている。また、支持部２２は、側壁部２１の内面から太陽電池モジュール１が位置する内側に向かって水平に延出している。支持部２２は、図５に示すように、上面２２ａで太陽電池モジュール１の下部を支持している。なお、支持部２２の下方の主面は、図４に示すように、下面２２ｂとする。
【００２４】
第１突起部２３は、支持部２２の下面２２ｂから下方に向かって延びるように形成されている。本実施形態において、第１突起部２３は、側壁部２１の主面と平行に延びて、 
下方に向けて突出するように設けられている。第１突起部２３は、太陽電池モジュール１のフレーム３の内側に位置するように設けられている。
【００２５】
具体的には、図１に示すように、太陽電池モジュール１を上下方向に複数積み重ねた際に、図５（ｂ）に示すように、上側に位置する第１太陽電池モジュール１Ａ（図示なし）に設けられる梱包材２０Ａの第１突起部２３が、下側に位置する第２太陽電池モジュール１Ｂのフレーム３の内側に位置している。 また、梱包材２０Ｂの一対の側壁部２１は、
第２太陽電池モジュール１Ｂのフレーム３の外側部３ｂに沿う形状を有している。このとき、一対の側壁部２１は、外側部３ｂとの間に太陽電池モジュール１Ｂの公差を吸収しうるわずかな隙間があいていてもよい。
【００２６】
本実施形態では、第１梱包材２０Ａの第１突起部２３と、第２梱包材Ｂの側壁部２１とによって太陽電池モジュール１（第２太陽電池モジュール１Ｂ）の水平方向における移動を規制（制御）することができる。これにより、本実施形態では、太陽電池モジュール１の水平方向への移動によって生じる荷重の影響を小さくすることができる。すなわち、本実施形態では、梱包材２０の耐荷重性を高めることができる。その結果、梱包材２０の破損を低減できる。また、本実施形態では、図５（ｂ）に示すように、第２梱包材２０Ｂの一対の側壁部２１が太陽電池モジュール１Ｂの外側部３ｂに接触していてもよく、第１突起部２３が第２太陽電池モジュール１Ｂの内側部１ｃ１に接触してもよい。これにより、太陽電池モジュール１Ｂの内側部１ｃ１に接触した第１突起部２３と太陽電池モジュール１Ｂの外側部３ｂに接触した側壁部２１とで太陽電池モジュール１Ｂの水平方向の移動をより規定しやすくなる。その結果、梱包材２０に作用する荷重の発生をより低減できる。
【００２７】
また、第１突起部２３は、図５に示すように、内側部１ｃ１に接する第１内接面２３ａおよび第２内接面２３ｂを有する。第１内接面２３ａおよび第２内接面２３ｂを大きくなるように形成すれば、太陽電池モジュール１の移動をより規制しやすい。これにより、太陽電池モジュール１を安全に輸送することができる。
【００２８】
このように、本実施形態では、太陽電池モジュール１の積層方向（上下方向）の荷重の伝達を側壁部２１で担い、水平方向の位置決めを側壁部２１および第１突起部２３担っている。これにより、上下方向および水平方向に作用する荷重による耐性を高めることができるため、太陽電池モジュール１の積み重ねの枚数が多くなっても、太陽電池モジュール１を安全に取り扱うことができる。
【００２９】
また、第１ 梱包材２０Ａの一対の側壁部２１（側壁部の下部２１ｂ）は、支持部２２
よりも下方に延在するように突出していてもよい。このような形態であれば、垂直に交わる一対の側壁部の下部内面２１ｄと、側壁部の下部内面２１ｄに相対する第１内接面２３ａおよび第２内接面２３ｂを有する第１突起部２３との間に係合空間２６を形成することができる。このように、梱包材２０の側壁部２１と第１突起部２３とが協働して係合空間２６内で太陽電池モジュール１のフレーム３を挟み込むことができる。これにより、太陽電池モジュール１の水平方向の移動をより規制しやすくなる。
【００３０】
なお、第２梱包材２０Ｂの側壁部の上部２１ａは、第２梱包材２０Ｂを第２太陽電池モジュール１Ｂに取り付けた際に底部３ｃよりも低い位置となるように設けられていてもよい。これにより、係合空間２６で第１梱包材２０Ａが第２太陽電池モジュール１Ｂを挟持できる。その結果、太陽電池モジュール１の水平方向の移動をより規制しやすくなるため、梱包材２０の破損を低減できる。
【００３１】
なお、第１梱包材２０Ａの係合空間２６の内側に配置されるのは第２太陽電池モジュール１Ｂのみに限られるものではなく、例えば図３に示すように、上部内面２１ｃが上部２１ａよりも上方に張り出した板状部を有しており、その部分が係合空間２６の内側に配置されていてもよい。 
【００３２】
＜第２実施形態＞
本実施形態に係る太陽電池モジュールの梱包材２０は、図７に示すように、一方の側壁部２１の上部内面２１ｃの上方から太陽電池モジュール１（図示なし）の上方に向かって延びる張出部２４を有している。この張出部２４は、一対の側壁部２２において、一方の側壁部２２から他方の側壁部２２に向かって水平方向に延びている。また、この張出部２４は、弾性を有している。なお、本実施形態において、張出部２４は、一対の側壁部２１にそれぞれ連結されているが、両方の側壁部２１に連結されていなくてもよい。例えば、張出部２４は、一対の側壁部２１のうち、少なくとも一方の側壁部２１から太陽電池モジュール１（図示なし）の上方を通るように延びていればよい。
【００３３】
さらに、本実施形態では、張出部２４から下方に向かって突出し、太陽電池モジュール１のフレーム３の内側に位置する第２突起部２５を有している。具体的には、この第２突起部２５は、図７（ｂ）に示すように、太陽電池モジュール１の内側部１ｃ１に係合している。
【００３４】
梱包材２０において、支持部２２と張出部２４との上下方向における間隔の寸法は、太陽電池モジュール１の外側部３ｂの上下方向の寸法と略同じであればよい。そのため、太陽電池モジュール１に梱包材２０を装着すると、張出部２４は、太陽電池モジュール１の底部３ｃの上方に沿って配置されるようになる。また、太陽電池モジュール１に梱包材２
０を装着する際に、太陽電池モジュール１の角部１ａに向けて梱包材２０を押し込むと、張出部２４が一時的に支持部２２から離間する方向へ弾性変形し、第２突起部２５が底部３ｃを越えて太陽電池モジュール１の内側部１ｃ１に係合する際に、張出部２４の弾性変形が元に戻るようになる。これにより、張出部２４が太陽電池モジュール１の内側部１ｃ１に係合するようになる。
【００３５】
本実施形態によれば、梱包材２０に張出部２４および第２突起部２５を設けることによって、梱包材２０を装着した太陽電池モジュール１を一時的に個々に搬送するような場合であっても、太陽電池モジュール１からの梱包材２０の脱落の発生を低減できるとともに、太陽電池モジュール１の角部１ａを保護することができる。なお、第２突起部２５は、太陽電池モジュール１の内側部１ｃ１に接触していなくてもよい。例えば、太陽電池モジュール１の内側部１ｃ１と若干離間しつつ、太陽電池モジュール１のフレーム３の内側に位置するように設けられた第２突起部２５であれば、上述した太陽電池モジュール１からの梱包材２０の脱落の発生を低減できる。
【００３６】
また、張出部２４および第２突起部２５は、梱包材２０を＋Ｚ方向側から平面視したときに支持部２２と重ならない位置に設けられている。これにより、太陽電池モジュール１の裏面側１ｃから太陽電池パネル２までの段差が大きい太陽電池モジュール１の内側部１ｃ１に第１突起部２３および第２突起部２５を係合させることができる。また、このような形態であれば、第１梱包材２０Ａの支持部２２と第２梱包材２０Ｂの張出部２４とが互いに接触しないように第１太陽電池モジュール１Ａと第２太陽電池モジュール１Ｂとを積み重ねることができる。その結果、第１太陽電池モジュール１Ａおよび第２太陽電池モジュール１Ｂを水平方向に沿って容易に積み重ねることができる。よって、複数の太陽電池モジュール１を安定して積み重ねてから輸送することができる。
【００３７】
＜第３実施形態＞
本実施形態に係る太陽電池モジュール１の梱包材２０は、図８に示すように、複数を積み重ねた太陽電池モジュール１のうち、頂部の太陽電池モジュール１に装着された梱包材の上方に被せる蓋部材３０を有する。
【００３８】
蓋部材３０は、梱包材２０の支持部２２から下方を抜き出したものと類似の構造を有し、それぞれ側壁部２１、支持部２２、第１突起部２３に類似した形状の載置部３１、天面３２および係合部３３を有する。また、載置部３１は外側に向かって傾斜したスロープ３４を有し、スロープ３４を用いることで多数を積み重ねた太陽電池モジュールに対してバンドをかけることによって、より安全に太陽電池モジュール１を輸送することができる。
【００３９】
なお、本実施形態に適用できる太陽電池モジュール１としては、上述の実施形態で説明したスーパーストレート構造の太陽電池モジュールに限られるものではなく、ガラスパッケージ構造またはサブストレート構造などの種々の構造を有する太陽電池モジュールにも適用可能である。
【符号の説明】
【００４０】
１：太陽電池モジュール
１Ａ：第１太陽電池モジュール
１Ｂ：第２太陽電池モジュール
１ａ：角部
１ｂ：受光面側
１ｃ：裏面側
１ｃ１：内側部
２：太陽電池パネル
３：フレーム
３ａ：嵌合部
３ｂ：外側部
３ｃ：底部
４：透光性基板
５：封止材
６：配線部材
７：太陽電池素子
８：裏面部材
９：端子ボックス
２０：梱包材
２０Ａ：第１梱包材
２０Ｂ：第２梱包材
２１：側壁部
２１ａ：上部
２１ｂ：下部
２１ｃ：上部内面
２１ｄ：下部内面
２２：支持部
２２ａ：上面
２２ｂ：下面
２３：第１突起部
２３ａ：第１内接面
２３ｂ：第２内接面
２４：張出部
２５：第２突起部
２６：係合空間
３０：蓋部材
３１：載置部
３２：天面
３３：係合部
３４：スロープ
４０：パレット
【図１】
2015221671.tif 000003
【図２】
2015221671.tif 000004
【図３】
2015221671.tif 000005
【図４】
2015221671.tif 000006
【図５】
2015221671.tif 000007
【図６】
2015221671.tif 000008
【図７】
2015221671.tif 000009
【図８】
2015221671.tif 000010